(57)【要約】      （修正有）【課題】照射方向を容易に把握することができ、小型化を図ることができる照明器具を提供する。【解決手段】被取付面に取り付けられた取付部２０に可動に支持される器具本体３０には、発光部４０が支持される。発光部４０は、主光源４１および副光源４２Ａを有し、副光源４２Ａは、主光源４１の照射中心を照射可能であるので、発光部４０により照射される方向を容易に把握できる。また、発光部４０に含まれる副光源４２Ａが照射方向を示すので、器具本体３０の小型化を妨げない。【選択図】図１
2014075218.tif 000002
【特許請求の範囲】
【請求項１】
被取付面に取付可能な取付部と、
前記取付部に支持され、かつ、前記取付部に対して可動する器具本体と、
前記器具本体に支持される発光部と、を備え、
前記発光部は、主光源および副光源を有し、
前記副光源は、前記主光源の照射中心を照射可能である照明器具。
【請求項２】
請求項１に記載の照明器具において、
前記副光源が発する光は前記主光源が発する光よりも高輝度である照明器具。
【請求項３】
請求項１に記載の照明器具において、
前記副光源が発する光は前記主光源が発する光よりも色温度が高い照明器具。
【請求項４】
請求項１に記載の照明器具において、
前記副光源が発する光は前記主光源が発する光よりも指向性が高い照明器具。
【請求項５】
請求項１ないし請求項４のうちのいずれか１項に記載の照明器具において、
前記主光源および前記副光源は前記発光部における同一面に設けられている照明器具。
【請求項６】
請求項５に記載の照明器具において、
前記副光源は前記発光部に形成された凹部に設けられている照明器具。
【請求項７】
請求項１ないし請求項４のうちのいずれか１項に記載の照明器具において、
前記副光源が前記器具本体に対して着脱可能に取り付けられている照明器具。
【発明の詳細な説明】
【技術分野】
【０００１】
本発明は、特定の方向および範囲を狙って照明するのに用いられる照明器具に関するものである。
【背景技術】
【０００２】
従来、特定の方向および範囲を狙って特に照明するのに用いられる照明器具が知られている（例えば、特許文献１参照）。
図８に示すように、特許文献１に記載の照明器具１００は、路上等において監視カメラで撮像する車両を照明するための車両監視カメラ用投光器である。
照明器具１００は、一方の垂直面に開口部１０１を有する略方形箱形状の筐体１０２が２次元可動機構の雲台１０３に取り付けられている。
【０００３】
開口部１０１近傍の筐体１０２内部には、面状発光部１０４を構成する上部ＬＥＤ基板１０５及び下部ＬＥＤ基板１０６が設けられている。
上部ＬＥＤ基板１０５は筐体１０２に対して上下方向に回動可能であり、下部ＬＥＤ基板１０６は筐体１０２に固定されている。
従って、上部ＬＥＤ基板１０５及び下部ＬＥＤ基板１０６の表面で発光した光が開口部１０１から照射され、対象物である車両を照明して、不図示の監視カメラによって撮像する。
【０００４】
このとき、上部ＬＥＤ基板１０５の上方の所定位置に、上部ＬＥＤ基板１０５の照射光の光軸と一致する光軸を有するレーザポインタ（図示省略）を仮固定する。
そして、レーザ光を放射して上部ＬＥＤ基板１０５照射方向を決定した後、レーザポインタを取り外す。
【先行技術文献】
【特許文献】
【０００５】
【特許文献１】特開２０１０−１６５５７８号公報（第１図）
【発明の概要】
【発明が解決しようとする課題】
【０００６】
しかしながら、近年、博物館等で利用されるスポットライトでは、非常に決められた投光方向に光を照射させる必要があるものの、前述した特許文献１に記載の従来の照明器具１００では、狭域へ投光方向を設定することが難しい。
【０００７】
本発明は、従来の問題を解決するためになされたもので、照射方向を容易に、かつ精度よく把握することができる照明器具を提供することを目的とする。
【課題を解決するための手段】
【０００８】
本発明の照明器具は、被取付面に取付可能な取付部と、前記取付部に支持され、かつ、前記取付部に対して可動する器具本体と、前記器具本体に支持される発光部と、を備え、前記発光部は、主光源および副光源を有し、前記副光源は、前記主光源の照射中心を照射可能であるものである。
【０００９】
また、本発明の照明器具では、前記副光源が発する光は前記主光源が発する光よりも高輝度であるものである。
【００１０】
また、本発明の照明器具では、前記副光源が発する光は前記主光源が発する光よりも色温度が高いものである。
【００１１】
また、本発明の照明器具では、前記副光源が発する光は前記主光源が発する光よりも指向性が高いものである。
【００１２】
また、本発明の照明器具では、前記主光源および前記副光源は前記発光部における同一面に設けられているものである。
【００１３】
また、本発明の照明器具では、前記副光源は前記発光部に形成された凹部に設けられているものである。
【００１４】
さらに、本発明の照明器具では、前記副光源が前記器具本体に対して着脱可能に取り付けられているものである。
【発明の効果】
【００１５】
本発明では、発光部は、主光源および副光源を有し、副光源は、主光源の照射中心を照射可能であるので、発光部により照射される方向を副光源により容易に、かつ主光源の投光方向を精度よく把握することができるから、結果として、所望とする投光方向へ光を照射することが可能な照明器具を得ることができる。
【図面の簡単な説明】
【００１６】
【図１】本発明に係る第１実施形態の照明器具の斜視図
【図２】本発明に係る第１実施形態の照明器具の側面図
【図３】図１中ＩＩＩ方向から見た灯体の正面図
【図４】図３中ＩＶ−ＩＶ位置の断面図であり、（Ａ）は副光源を主光源と同一面に設けた場合であり、（Ｂ）は副光源を凹部に設けた場合
【図５】本発明に係る第１実施形態の照明器具を用いて壁に光を照射する状態を示す説明図
【図６】図５中ＶＩ方向から見た照射光の説明図であり、（Ａ）は副光源に高輝度のものを用いた場合であり、（Ｂ）は副光源に色温度が高いものを用いた場合であり、（Ｃ）は副光源に指向性が高いものを用いた場合
【図７】本発明に係る第２実施形態の照明器具の分解斜視図
【図８】従来の照明器具の斜視図
【発明を実施するための形態】
【００１７】
（第１実施形態）
以下、本発明に係る第１実施形態の照明器具について、図面を用いて説明する。
図１および図２に示すように、本発明に係る実施形態の照明器具１０Ａは、被取付面である天井面１１に取り付けられているライティングダクト１２に沿って移動可能に保持されて、例えば、下方や側方を照明するものである。
なお、以下の説明において、天井面１１側を「上側（上方）」で示し、天井面１１と反対側を「下側（下方）」で示すこととする。また、照射方向を「前側（前方）」といい、照射方向と反対側を「後側（後方）」ということとする。
なお、本実施形態では、被取付面として天井面を採用した形態を示すが、照明器具が取り付けられる面であればよく、特に限定されるものではない。
【００１８】
照明器具１０Ａは、ライティングダクト１２に移動可能に取り付けられる電源ボックス（取付部）２０を有する。
電源ボックス２０の上面には、一方の端部（図１中左端部）にはライティングダクト１２に移動可能に支持される機械的保持部２１を有する。
また、他方の端部（図１中右端部）には、ライティングダクト１２に移動可能に支持されるとともにライティングダクト１２から電源ボックス２０に給電する給電プラグ２２を有する。
【００１９】
機械的保持部２１は、ライティングダクト１２に支持されるための支持板２１１を電源ボックス２０の幅方向に長く有する。
給電プラグ２２は、ライティングダクト１２に支持されるための支持板２２１を、電源ボックス２０の幅方向に長く有するとともに、ライティングダクト１２から給電されるための給電部材２２２を有する。
なお、給電プラグ２２は水平方向に回動可能に支持されており、レバー２２３の操作により、回動する。
【００２０】
電源ボックス２０の一方の端部である左側端部の下面には、内部に発光部４０を有する灯体（器具本体）３０を有する。
灯体３０は、下向きに開口した全体コ字形状の支持部材３１の下端部に回動可能かつ所望の角度で停止可能に取り付けられている。また、支持部材３１は、電源ボックス２０の下面に、水平方向へ回動可能に支持されている。
従って、灯体３０は、上下左右の所望の方向へ照射可能となる。
【００２１】
灯体３０は、前方に開口した（開口３２）円筒形状を呈しており、開口３２に取り付けられた円形の取付板３３に発光部４０が取り付けられる。
図３に示すように、発光部４０は、照明器具のうち光が出射される箇所であって、本実施形態では、複数の光源（ＬＥＤユニット４３）からなる主光源４１と、１個の光源からなる副光源４２Ａとを有する。
主光源４１として、６個のＬＥＤユニット４３を円周上に配置している。ただし、本発明の主光源４１は、本形態に限定されず、例えば、複数のＬＥＤを封止材で一括封止した形態等も含まれる。
副光源４２Ａは、主光源４１による照射中心を照射可能な光源であって、複数のＬＥＤユニット４３の中央に配置されている。副光源４２Ａは、主光源４１の中央付近に設置されるほど、主光源４１による照射中心を照射可能とできるので好ましい。
なお、主光源４１による照射中心とは、主光源４１における照射面の中心をいう。
【００２２】
図４（Ａ）に示すように、副光源４２Ａは、主光源４１を構成するＬＥＤユニット４３と同一面、例えば取付板３３の前面に取り付けることができる。
あるいは、図４（Ｂ）に示すように、取付板３３の前面に凹部３４を設け、副光源４２Ａを凹部３４に取り付けることもできる。
【００２３】
図５には、照明器具１０Ａを用いて、壁Ｗにおける所望の位置に光を照射する状態が示されている。
なお、主光源４１と副光源４２Ａとを別個に照射した場合には、副光源４２Ａの照射光ＬＢ２を認識できるのは明らかなので、以下の説明においては、主光源４１と副光源４２Ａとを同時に照射した場合について説明する。
また、副光源４２Ａは、例えば３ｍ先の主光源４１の中心を照射するように設定されている。
【００２４】
図６（Ａ）〜（Ｃ）には、主光源４１の照射光ＬＢ１および副光源４２Ａの照射光ＬＢ２によって照明される壁Ｗが示されている。
前述したような副光源４２Ａを用いることにより、壁Ｗに照射される光は、中心に副光源４２Ａの照射光ＬＢ２が照射され、その周囲に主光源４１の照射光ＬＢ１が照射される。
【００２５】
図６（Ａ）には、副光源４２Ａとして、その照射光ＬＢ２が、主光源４１が発する照射光ＬＢ１よりも輝度が高いものを用いた場合が示されている。
この場合、中心には副光源４２Ａで照らされる高輝度領域Ｒ２があり、高輝度領域Ｒ２の周囲に低輝度領域Ｒ１が設けられる。
【００２６】
図６（Ｂ）には、副光源４２Ａとして、その照射光ＬＢ２の色温度が、主光源４１が発する照射光ＬＢ１の色温度よりも高いものを用いた場合が示されている。
ここで、「色温度」とは、表現しようとする光の色をある温度の黒体から放射される光の色と対応させ、その時の黒体の温度をもって色温度とするものである。寒色系の色ほど色温度が高く、暖色系の色ほど色温度が低い。
この場合、中心には副光源４２Ａで照らされるより青白っぽい高色温度領域Ｒ４があり、高色温度領域Ｒ４の周囲にはより赤っぽい低色温度領域Ｒ３が設けられる。
【００２７】
図６（Ｃ）には、副光源４２Ａとして、主光源４１の照射光ＬＢ１よりも指向性が高い照射光ＬＢ２を有するものを用いた場合が示されている。例えば、副光源４２Ａとしてレーザ光線を照射するものを用いることができる。
この場合、中心には副光源４２Ａで照らされる狭い面積の照射領域Ｒ６があり、照射領域Ｒ６の周囲には主光源４１による照射領域Ｒ５が設けられる。
【００２８】
本発明の第１実施形態に係る照明器具１０Ａの作用効果について説明する。
図１および図２に示すように、天井面１１に取り付けられたライティングダクト１２には、電源ボックス２０が移動可能に支持される。
電源ボックス２０には、灯体３０が回動可能に支持される。この灯体３０には、発光部４０が設けられているので、発光部４０は、所望の位置で所望の方向を照明することができる。
【００２９】
発光部４０は、主光源４１および副光源４２Ａを有し、副光源４２Ａは、主光源４１の照射中心を照射可能である。
このため、副光源４２Ａの照射光ＬＢ２により、発光部４０が照射する方向を容易に把握できる。また、副光源４２Ａは、発光部４０に含まれているので、灯体３０の小型化を妨げない。
【００３０】
また、副光源４２Ａが発する照射光ＬＢ２は、主光源４１が発する照射光ＬＢ１よりも高輝度であるので、副光源４２Ａが発する光を明確に識別できる。
このため、副光源４２Ａを個別に点灯させる場合のみならず、主光源４１が点灯している場合でも、副光源４２Ａの光を識別でき、照射方向を把握することができる。
【００３１】
また、副光源４２Ａが発する照射光ＬＢ２は、主光源４１が発する照射光ＬＢ１よりも色温度が高いので、副光源４２Ａの照射光ＬＢ２と主光源４１の照射光ＬＢ１が異なる色となる。
このため、副光源４２Ａを個別に点灯させる場合のみならず、主光源４１が点灯している場合でも、副光源４２Ａの照射光ＬＢ２を識別でき、照射方向を把握することができる。
【００３２】
また、副光源４２Ａが発する照射光ＬＢ２は、主光源４１が発する照射光ＬＢ１よりも指向性が高いので、より明確に照射方向を把握することができる。
【００３３】
また、主光源４１および副光源４２Ａは、発光部４０における同一面に設けられているので、照明器具の小型化を図ることができる。
【００３４】
さらに、副光源４２Ａは、発光部４０に形成された凹部３４に設けられているので、主光源４１の照射光ＬＢ１を遮らず、影を作らない。
【００３５】
（第２実施形態）
次に、本発明に係る第２実施形態の照明器具について、図面を用いて説明する。
なお、前述した第１実施形態に係る照明器具１０Ａと共通する部位には同じ符号を付して、重複する説明を省略することとする。
【００３６】
図７に示すように、第２実施形態の照明器具１０Ｂでは、副光源４２Ｂが灯体３０に対して着脱可能に取り付けられる。
副光源４２Ｂは、灯体３０に取付可能な取付バンド４４に取り付けられており、取付バンド４４を介して灯体３０の外側に取り付けられる。
副光源４２Ｂは、例えば、３ｍ先において、主光源４１の中心を照射するように設定されている。
【００３７】
本発明の第２実施形態に係る照明器具１０Ｂの作用効果について説明する。
この照明器具１０Ｂによれば、副光源４２Ｂが、灯体３０に対して取り付けられるので、前述した第１実施形態に係る照明器具１０Ａと同様の作用、効果を得ることができる。
さらに、副光源４２Ｂは、灯体３０に対して着脱可能に取り付けられているので、使用後は取り外すことができ、照明器具１０Ｂの小型化を図ることができる。
【００３８】
本発明の照明器具は、前述した各実施形態に限定されるものでなく、適宜な変形、改良等が可能である。
例えば、前述した各実施形態においては、主光源４１が複数のＬＥＤユニット４３を有する場合を例示したが、本発明は、主光源４１が単一のＬＥＤユニット４３を有する場合も適用可能である。
また、前述した第１実施形態においては、副光源４２Ａを主光源４１の中心に配置したが、発光部４０の中心に配置することも可能である。
【００３９】
また、前述した各実施形態においては、主光源４１による照射光ＬＢ１と副光源４２Ａによる照射光ＬＢ２とが、異なる色（色相、輝度、明度）の場合について説明した。
このほか、副光源４２Ａ、４２Ｂを主光源４１とは別個に照射する場合に限定すれば、主光源４１と副光源４２Ａ、４２Ｂとに同じ色のものを用いることも可能である。
【００４０】
さらに、前述した各実施形態においては、天井面１１に取り付けられたライティングダクト１２に取り付けて、屋内で使用する場合について説明したが、本発明は、屋外で使用する場合にも適用可能である。
【符号の説明】
【００４１】
１０Ａ、１０Ｂ  照明器具
１１  天井面（被取付面）
２０  電源ボックス（取付部）
３０  灯体（器具本体）
３４  凹部
４０  発光部
４１  主光源
４２Ａ、４２Ｂ  副光源
【図１】
2014075218.tif 000003
【図２】
2014075218.tif 000004
【図３】
2014075218.tif 000005
【図４】
2014075218.tif 000006
【図５】
2014075218.tif 000007
【図６】
2014075218.tif 000008
【図７】
2014075218.tif 000009
【図８】
2014075218.tif 000010